(57)【特許請求の範囲】
【請求項１】
複数のパチンコ機と球貸し機とを交互に並ぶよう天板上に列設した遊技機島において、各パチンコ機から排出された賞球を貯留し計数した後に再び島内部に還元する賞球処理機構であって、
前記パチンコ機の前方に向って延びた前記天板上に着脱自在に設けられ、各パチンコ機ごとに対応して、各パチンコ機前に着座する遊技者一人が前記天板の面積を占有して使用する範囲を区画する複数のトレイ部材と、該トレイ部材上に着脱自在であり、パチンコ機から溢れる球を受け入れる球貯留箱とを有し、
前記トレイ部材は、その上面側に、前記球貯留箱を着脱自在に装着する係止手段と、装着した球貯留箱の底部付近から排出された球を前記球貸し機の下部まで案内する球経路とを設ける一方、下面側に、前記天板に着脱自在に装着するための取付手段を設けて成り、
前記球貯留箱は、その底部付近に、前記トレイ部材に装着した際に前記球経路の入口に合致する球排出口と、該球排出口を開閉するシャッターとを設けて成り、
前記球貸し機の下部に、前記トレイ部材の球経路を通って案内された球を受け入れ島内部に還元する球導入路と、該球導入路を通過する球を計数する計数手段を前記球貸し機側に設け、
前記トレイ部材を前記天板に装着すると、前記球貸し機の球導入路内側と、前記トレイ部材の球経路の出口外側とにそれぞれ設けた導線が互いに接触して、前記球貸し機側の計数手段と、前記トレイ部材側の記録手段ならびに表示手段が電気的に結ばれることを特徴とする遊技機島における賞球処理機構。
【請求項２】
前記トレイ部材の係止手段は、球貯留箱の底部外壁に突設した係止片が摺動可能に嵌合するレール片から成ることを特徴とする請求項１記載の遊技機島における賞球処理機構。
【請求項３】
前記トレイ部材に、前記計数手段による計数結果を記録媒体に記録する記録手段と、記録媒体の出入れ口とを設けたことを特徴とする請求項１または２記載の遊技機島における賞球処理機構。
【請求項４】
前記トレイ部材に、前記計数手段による計数結果を目視可能に表示する表示手段を設けたことを特徴とする請求項１，２または３記載の遊技機島における賞球処理機構。
【発明の詳細な説明】
【０００１】
【発明の属する技術分野】
本発明は、複数のパチンコ機と球貸し機とを交互に並ぶよう列設し、その列下側にパチンコ機前方に向って一定幅で延びる天板を備えた遊技機島において、各パチンコ機から排出された賞球を貯留し計数した後に再び島内部に還元する賞球処理機構に関する。
【０００２】
【従来の技術】
従来より、パチンコ遊技店に設置されている遊技機島には、遊技者が手荷物を置いたり球貯留箱を置いたりするための天板と呼ばれている棚が設けてある。通常の天板は、島の横方向につながった一枚の平らな金属板や化粧合板等により作られている。
【０００３】
また、従来の遊技機島では一般に、島両端や島中央の所定位置に賞球を処理するための球計数機が設置されており、計数されたパチンコ球をその遊技機島に還元するように構成されていた。従って、球を計数する場合には、重い球貯留箱を運んだり、球貯留箱内の球を球計数機に移し替えなければならず、計数に手間がかかった。
【０００４】
また、数個の球計数機を多数の遊技者が共用するため、遊技者は近くの球計数機が使用中の場合、向かい側の島の球計数機が空いていれば、その球計数機で計数を行うことも多々ある。すると、島間で保有する球数のバランスがくずれてしまい、球不足によりパチンコ機が正常に動作しなくなったり、逆に球過剰により球詰まりが生じたりする虞れがあった。
【０００５】
このような賞球処理に関する欠点を解消し得る従来技術としては、各パチンコ機毎に対応する球計数機を天板上に一体に固設し、その球計数機によりパチンコ球を計数する技術が提案されている。
【０００６】
【発明が解決しようとする課題】
しかしながら、前述の遊技機島における一枚ものの天板では、遊技者毎に占有して使用できる使用範囲が明確に区画されてないため、遊技者は自分の使用範囲をパチンコ機の幅等からおおよそ見当して使用していた。そのため、隣席で他人が遊技している状況下では、荷物が隣にはみ出さないように気を使ったり、また、隣の遊技者の荷物が自分の使用範囲に入っている時でも使用範囲が明確でないことから、注意しずらく不快感を感じることがあった。
【０００７】
このように天板の使用範囲の不明確さから生じる問題を解消すべく、最近では一枚ものの天板ではなく、パチンコ機毎に分割された個別天板を設ける遊技店も少しずつ増えてきている。しかし、個別天板を設けるためには、予め個別天板用として作られた島を新規に設置するか、あるいは既に設置されている島を改造する必要があり、コストが嵩むという問題点があった。
【０００８】
また、各パチンコ機毎に球計数機を設ける遊技機島とするには、既存の島の天板を大幅に改造したり、あるいは予め天板に球計数機を一体に組み込んだ島を新規に作製しなければならず、コストが嵩むという問題点があった。更に、球計数機は天板に一体に固設され動かすことができないため、パチンコ機を入れ替たりする際に邪魔になるという問題点があった。
【０００９】
本発明は、以上のような従来技術が有する問題点に着目してなされたもので、現行の島の構造を変更せずに低コストで、天板上における遊技者の使用範囲を明確化させることができ、また、賞球計数を円滑かつ確実に行なうことができ、パチンコ機の入れ替の際に邪魔にならず、極めて使い勝手のよい遊技機島における賞球処理機構を提供することを目的としている。
【００１０】
【課題を解決するための手段】
前述した目的を達成するための本発明の要旨とするところは、次の各項に存する。
【００１１】
［１］  複数のパチンコ機（１１）と球貸し機（１６）とを交互に並ぶよう天板（３）上に列設した遊技機島（１）において、、各パチンコ機（１１）から排出された賞球を貯留し計数した後に再び島内部に還元する賞球処理機構であって、
前記パチンコ機（１１）の前方に向って延びた前記天板（３）上に着脱自在に設けられ、各パチンコ機（１１）ごとに対応して、各パチンコ機（１１）前に着座する遊技者一人が前記天板（３）の面積を占有して使用する範囲を区画する複数のトレイ部材（２０）と、該トレイ部材（２０）上に着脱自在であり、パチンコ機（１１）から溢れる球を受け入れる球貯留箱（３０）とを有し、
前記トレイ部材（２０）は、その上面側に、前記球貯留箱（３０）を着脱自在に装着する係止手段（２２）と、装着した球貯留箱（３０）の底部付近から排出された球を前記球貸し機（１６）の下部まで案内する球経路（２３）とを設ける一方、下面側に、前記天板（３）に着脱自在に装着するための取付手段（２４，２４Ａ）を設けて成り、
前記球貯留箱（３０）は、その底部付近に、前記トレイ部材（２０）に装着した際に前記球経路（２３）の入口に合致する球排出口（３２）と、該球排出口（３２）を開閉するシャッター（３３）とを設けて成り、
前記球貸し機（１６）の下部に、前記トレイ部材（２０）の球経路（２３）を通って案内された球を受け入れ島内部に還元する球導入路（１８）と、該球導入路（１８）を通過する球を計数する計数手段（４０）を前記球貸し機（１６）側に設け、
前記トレイ部材（２０）を前記天板（３）に装着すると、前記球貸し機（１６）の球導入路（１８）内側と、前記トレイ部材（２０）の球経路（２３）の出口（２３ｂ）外側とにそれぞれ設けた導線が互いに接触して、前記球貸し機（１６）側の計数手段（４０）と、前記トレイ部材（２０）側の記録手段（５０）ならびに表示手段（６０）が電気的に結ばれることを特徴とする遊技機島（１）における賞球処理機構。
【００１５】
［２］  前記トレイ部材（２０）の係止手段（２２）は、球貯留箱（３０）の底部外壁に突設した係止片（３９）が摺動可能に嵌合するレール片から成ることを特徴とする１項記載の遊技機島（１）における賞球処理機構。
【００１８】
［３］  前記トレイ部材（２０Ａ）に、前記計数手段（４０）による計数結果を記録媒体（Ａ）に記録する記録手段（５０）と、記録媒体（Ａ）の出入れ口（５１）とを設けたことを特徴とする１または２項記載の遊技機島（１）における賞球処理機構。
【００１９】
［４］  前記トレイ部材（２０Ａ）に、前記計数手段（４０）による計数結果を目視可能に表示する表示手段（６０）を設けたことを特徴とする１，２または３項記載の遊技機島（１）における賞球処理機構。
【００２０】
次に作用を説明する。
１項に係る遊技機島（１）における賞球処理機構によれば、トレイ部材（２０）を、遊技機島（１）の各パチンコ機（１１）毎に対応するように天板（３）上面に重ね合せて、該トレイ部材（２０）にある取付手段（２４）で天板（３）に動かぬように装着する。トレイ部材（２０）は、各パチンコ機（１１）前に着座する遊技者一人が占有すべき使用範囲を区画するため、遊技者は自分の使用範囲を明確かつ容易に認識できる。
【００２１】
それにより、隣席で他人が遊技している状況下でも、自分の荷物をトレイ部材（２０）上に置いておけば、隣にむやみにはみ出さないよう気を使う必要もなくなる。また逆に、隣の遊技者が置いた荷物が自分の使用範囲に入っている時は、かかる事実を明確に判断できるので、それを根拠に気軽に注意することも可能となる。
【００２２】
しかも、トレイ部材（２０）は取付手段（２４）により着脱自在に天板（３）に装着できるため、トレイ部材（２０）は従前の島の構造を何ら変更することなく、きわめて簡単に低コストで装着することができる。また、トレイ部材（２０）には係止手段（２２）により球貯留箱（３０）を着脱自在に装着することができる。
更に、外したトレイ部材（２０）を天板（３）に装着すると、球貸し機（１６）の球導入路（１８）内側と、前記トレイ部材（２０）の球経路（２３）の出口（２３ｂ）外側とにそれぞれ設けた導線が互いに接触して、球貸し機（１６）側の計数手段と、前記トレイ部材（２０）側の記録手段（５０）ならびに表示手段（６０）が電気的に結ばれるので配線処理が無く、パチンコ機（１１）の入れ替の際に邪魔になることもない。
【００２３】
パチンコ機（１１）から賞出された球は受皿に供給され、受皿から溢れる球は前記トレイ部材（２０）上の球貯留箱（３０）にいったん貯留される。球貯留箱（３０）内の球を計数する場合、その底部付近にある球排出口（３２）を開閉するシャッター（３３）を開放する。球排出口（３２）から流出した球は、トレイ部材（２０）に設けられた球経路（２３）を通りパチンコ機（１１）間に介装されている球貸し機（１６）の下部まで案内される。
【００２４】
続いて球は、球貸し機（１６）の下部に設けられた球導入路（１８）を介して島内部に確実に還元されるが、球導入路（１８）の通過途中で計数手段（４０）により計数される。ここで３項に係る発明によれば、球貸し機（１６）またはトレイ部材（２０Ａ）にある出入れ口（５１）に挿入した記録媒体（Ａ）に記録手段（５０）で、前記計数手段（４０）による計数結果を記録させることができる。４項に係る発明によれば、球貸し機（１６）またはトレイ部材（２０Ａ）にある表示手段（６０）に、前記計数手段（４０）による計数結果を目視可能に表示させることができる。
【００２５】
以上のように、各パチンコ機（１１）から溢れる球は、いったんトレイ部材（２０）上に装着した球貯留箱（３０）に貯留された後、球貸し機（１６）の下部まで送られて計数された後に再び島内部に還元できるので、球を移し替えるような手間を必要とせず、球をこぼし落とすことなく、計数を円滑かつ確実に行なうことができる。また、使用しないトレイ部材（２０）や球貯留箱（３０）はそれぞれ別々あるいは一緒に、例えばパチンコ機（１１）の入れ替の際に天板（３）から容易に外したり、他の場所に移したりすることが可能となる。
【００２７】
また、２項記載の発明によれば、簡易な構成のトレイ部材（２０）の係止手段（２２）により、球貯留箱（３０）を簡易かつ確実にトレイ部材（２０）に装着したり、容易に外したりすることができる。
【００２８】
【発明の実施の形態】
以下、図面に基づき本発明の各種の実施形態を説明する。
図１〜図１２は本発明の第１の実施形態を示している。
図２に示すように、遊技機島１は一般に略直方体状の支持枠を骨組とし、その長手方向の下段部外側に腰板２を張付け、腰板２の上端に前方に向って一定幅で延びる天板３が固定されている。天板３上には、複数のパチンコ機１１と球貸し機１６とが交互に並ぶよう列設されている。本実施形態では、パチンコ機１１および球貸し機１６が背中合せに２列となるが、前側１列のみに列設して構成してもかまわない。
【００２９】
支持枠内の上段部には、各パチンコ機１１に球を供給する給配樋（図示せず）等の関連設備が内設されており、パチンコ機列上方には、島上部内の関連設備を隠蔽する開閉可能な幕板４が設けられている。幕板４の下縁部には、各パチンコ機１１に対応するように呼出装置４ａが取付けられている。また、支持枠内の下段部には、島内にパチンコ球を貯留する下部タンク（図示せず）や、各パチンコ機１１から還元される球を前記下部タンクヘ導く回収樋５（図７参照）が内設されている。
【００３０】
ところでパチンコ機１１は、機体の下部右端に設けられたハンドル１５の回転操作によって球を盤面上に打ち出し、打球の入賞を競い楽しむものである。機体下部には、遊技に供する球や賞球を入れる受皿１３や、この受皿１３から溢れる球を受ける下皿１４が設けられている。また、球貸し機１６は、投入された紙幣に応じて記録媒体であるカードＡを払い出し、出入れ口５１に挿入された前記カードＡのメモリ値に相当する球をノズル１７から貸し出す装置である。
【００３１】
球貸し機１６の下部には、後述するトレイ部材２０の球経路２３を通って案内された球を受け入れ島内部に還元する球導入路１８が形成されている。図６に示すように、球導入路１８の終端には、球を島内部の回収樋５上に落下される排出管１９が連通接続されている。また、図６に示すように、球導入路１８の途中には、ここを通過する球を計数する計数手段４０が設けられている。
【００３２】
計数手段４０は、スプロケット４１と計数素子４２とを具備して成る。スプロケット４１は、球導入路１８内に突出して回転し、ここを通過するパチンコ球に１個ずつ係合して、排出管１９側へ送り出すものである。計数素子４２は、スプロケット４１の回転した歯数を検出するセンサである。計数素子４２により検出されたスプロケット４１の回転歯数は、制御装置（コンピューター）によりパチンコ球の個数に変換されて記憶、演算されるように設定されている。
【００３３】
球貸し機１６の正面部にはカードＡの出入れ口５１が設けられており、機体内には前記計数手段４０による計数結果をカードＡに記録する記録手段５０が配設されている。記録手段５０は、正面の出入れ口５１と連通接続されており、精算ボタン５２を押してオンにすることにより、前記制御装置からの指令に基づき、カードＡに前記計数手段４０により計数された球数を記録更新し、出入れ口５１から排出するように構成されている。
【００３４】
また、球貸し機１６の正面部には表示手段６０も設けられている。表示手段６０は、前記制御装置からの指令に基づき、前記計数手段４０による計数結果をリアルタイムで目視可能に表示するものであり、一般的な７セグメントＬＥＤから成る。なお、図２に示すようにパチンコ機列の端には、両替機６や予備の大型球計数機７が設置されている。
【００３５】
図１に示すように、賞球処理機構を構成するトレイ部材２０は、各パチンコ機１１前に着座する遊技者一人が占有すべき使用範囲を区画する面積分だけ略水平方向に広がったトレイ状のものであり、合成樹脂や金属等により成形されている。トレイ部材２０は、その前端縁側が台形状に天板３前方へ延出する大きさに成形されている。
【００３６】
トレイ部材２０の上面側には、後述の球貯留箱３０を載せるベース台２１が段状に設けられている。このベース台２１の両端には、球貯留箱３０を着脱自在に装着するための係止手段が設けられている。ここで係止手段は、球貯留箱３０の底部外壁に突設した係止片３９が摺動可能に嵌合するレール片２２から成る。また、ベース台２１の片側には、球貯留箱３０の球排出口３２を覆うように入口２３ａが開口して排出された球を前記球貸し機１６の球導入路１８まで案内する球経路２３が一体的に成形されている。
【００３７】
トレイ部材２０の上面側両端の空いているスペースには、例えば、カップホルダ、小物置き、コインホルダ、それにハンドレスト等を適宜形成してもかまわない。一方、トレイ部材２０の下面側には、前記天板３に着脱自在に装着するための取付手段が設けられている。ここで取付手段は、天板３下面に弾撥的に係合するクリップ２４からなる。クリップ２４は、天板３下面に直接弾撥的に係合すべく、トレイ部材２０の前端下側より後方へ延びるよう一体成形されている。
【００３８】
また、取付手段の変形例として、図１３に示すように取付手段を、天板３下面に締結ねじ２６で圧着可能なクランプ２４Ａから構成してもよい。詳しく言えばクランプ２４Ａは、トレイ部材２０の下面に一体に固着した固定用ブラケット２５を主要部とし、該固定用ブラケット２５の下端縁に形成された一対の突片２５ａ，２５ａに、それぞれ締結ねじ２６を回転可能に螺合させて成る。
【００３９】
賞球処理機構を構成する球貯留箱３０は、パチンコ機１１の下皿１４から溢れる球を受け入れる箱状の部材であり、前記トレイ部材２０とは別個独立に合成樹脂や金属等により成形されている。球貯留箱３０は、前記トレイ部材２０のベース台２１上に着脱自在に構成されている。球貯留箱３０の底部３１は球を一端側に集めるように傾斜しており、その最下端には、前記トレイ部材２０に装着した際に前記球経路２３の入口２３ａに合致する球排出口３２が開設されている。また、球排出口３２の周囲には、該球排出口３２を開閉するシャッター３３を含む開閉機構が設けられている。
【００４０】
開閉機構を詳しく言えば、図９および図１０に示すように、球排出口３２の周囲には開口を備えたカバー３４が内側に出っ張るように設けられ、シャッター３３は、カバー３４内にその開口を開放する開位置と閉鎖する閉位置とに揺動可能に枢軸３３ａを介して枢支されている。シャッター３３の基端部には、該シャッター３３を揺動操作するためのレバー３５の下端が押引き可能に連結されている。
【００４１】
レバー３５は球貯留箱３０の上面側へ向って垂直に延びており、レバー３５の上端には操作ボタン３５ａが一体成形されている。また、レバー３５は、コイルスプリング３６によって上方へ付勢されており、それにより通常はシャッター３３が前記閉位置に維持されるように設定されている。すなわち、コイルスプリング３６の付勢力に抗して操作ボタン３５ａを押すと、レバー３５が下方へ押されてシャッター３３が開位置に移動し、球排出口３２が開くようになっている。
【００４２】
次に作用を説明する。
トレイ部材２０には、取付手段としてのクリップ２４が設けてあり、天板３への装着はクリップ２４の弾性を利用して、かかるクリップ２４とトレイ部材２０の下面側によって天板３を挟むようにして行う。従って、トレイ部材２０を天板３に対して水平方向にスライドさせるように押し込むだけで簡単に装着でき、また取り外すには、トレイ部材２０を手前にスライドさせて引き抜くだけでよく、天板３への着脱を非常に簡単に行うことができる。
【００４３】
それにより、トレイ部材２０は従前の島の構造を何ら変更することなく、きわめて簡単に低コストで天板３に装着することができる。また、パチンコ機１１の機種の変更等でパチンコ機１１を入れ替える時でも、トレイ部材２０がパチンコ機１１の取り外し作業の支障になることはない。
【００４４】
天板３上に装着したトレイ部材２０は、各パチンコ機１１前に着座する遊技者一人が占有すべき使用範囲を区画するため、遊技者は自分の使用範囲を明確かつ容易に認識できる。それにより、隣の席で他人が遊技している状況でも、自分の荷物をトレイ部材２０上に置いておけば、隣にむやみにはみ出さないよう気を使う必要もなくなる。
【００４５】
このようなトレイ部材２０には、球貯留箱３０を着脱自在に装着することができる。球貯留箱３０をトレイ部材２０に装着するには、トレイ部材２０にあるレール片２２に、球貯留箱３０にある係止片３９を嵌合させつつスライドさせればよく、かかる簡易な係止手段により、球貯留箱３０を容易かつ確実にトレイ部材２０に装着したり、外したりできる。
【００４６】
図４に示すように、天板３にトレイ部材２０を装着すると、球貸し機１６の球導入路１８にトレイ部材２０の球経路２３の出口２３ｂが連通接続される。更に、トレイ部材２０の球貯留箱３０を装着すると、トレイ部材２０の球経路２３の入口２３ａに球貯留箱３０の球排出口３２が合致して、遊技機島１における賞球処理機構が作動可能な状態となる。
【００４７】
遊技者は球貸し機１６にカードＡを挿入して所定量の球を獲得してから、パチンコ機１１にて遊技を楽しむ。かかる遊技中に、パチンコ機１１から賞出された球は先ず受皿１３に排出され、受皿１３から溢れる球は下皿１４に受け入れられる。この下皿１４から溢れ出る球が下方へ落下して、前記トレイ部材２０上の球貯留箱３０にいったん貯留される。
【００４８】
球貯留箱３０内に溜った球を計数する場合は、その底部３１の球排出口３２を開閉するシャッター３３を開放すればよい。かかるシャッター３３を開放するには、図１１に示す如く通常は球貯留箱３０の上端面より上方へ突出している操作ボタン３５ａを、コイルスプリング３６の付勢力に抗して下方へ押せばよい。すると、レバー３５がそのまま下方へ押されて、該レバー３５の下端に連結されたシャッター３３が閉位置から開位置まで揺動し球排出口３２が開く。
【００４９】
開いた球排出口３２から流出した球は、トレイ部材２０に設けられた球経路２３を通って、球貸し機１６の球導入路１８の入口まで案内される。このように球は、球導入路１８を介して島内部に確実に還元されるが、球導入路１８の通過途中で計数手段４０により計数される。
【００５０】
図６に示す計数手段４０では、スプロケット４１が回転して球を球排出管１９側へ送り出す。このとき、計数素子７５がスプロケット４１の回転した歯数から球導入路１８を通過した球の個数を計数する。このように計数手段４０により計数された球の個数は、制御装置により記憶・演算されて、表示手段６０に表示されるから、遊技者は何個の球を獲得したかを知ることができる。
【００５１】
また、記録手段５０では、精算ボタン５２を押すことにより、前記制御装置からの指令に基づき、カードＡに前記計数手段４０により計数された球数を印字して記録し、出入れ口５１から排出する。このカードＡの記録から景品と交換するパチンコ球の個数を知ることができるので、カードＡを景品交換所に持っていけば、それに記録された球数に応じた景品と交換できる。
【００５２】
以上のように、各パチンコ機１１から溢れる球は、いったんトレイ部材２０上に装着した球貯留箱３０に貯留された後、球貸し機１６の球導入路１８まで送られて計数された後に再び島内部に還元できる。それにより、従来のように球を移し替えるような手間を必要とせず、球をこぼし落とすこともなく、計数を円滑かつ確実に行なうことができる。また、使用しないトレイ部材２０や球貯留箱３０はそれぞれ別々あるいは一緒に、他の場所に移したりすることも可能となる。
【００５３】
図１４は、本発明に係る第２の実施の形態を示している。
本実施形態に係る遊技機島の賞球処理機構は、球貸し機１６ではなくトレイ部材２０（以下、第１の実施形態と区別するため、トレイ部材２０Ａと符号する。）に、前記計数手段４０による計数結果をカードＡに記録する記録手段５０とその出入れ口５１、および計数結果を目視可能に表示する表示手段６０を一体的に設けたものである。
【００５４】
トレイ部材２０Ａを天板３に装着すると、例えば、球貸し機１６の球導入路１８内側と、トレイ部材２０Ａの球経路２３の出口２３ｂ外側とにそれぞれ設けた導線が互いに接触して、球貸し機１６側の計数手段４０と、トレイ部材２０Ａ側の記録手段５０や表示手段６０が電気的に結ばれる。
【００５５】
このような実施形態によれば、遊技者の使い勝手の更なる向上を図ることができる。なお、前述した第１の実施形態と同種の部位には、同一符号を付して重複した説明を省略する。
【００５６】
本発明に係る遊技機島の賞球処理機構の形状および構成は、前記各種の実施の形態として具体的に図示したものに限定されるわけではない。
【００５７】
【発明の効果】
本発明に係る遊技機島の賞球処理機構によれば、遊技機島の天板上にて遊技者一人が占有すべき使用範囲を区画するトレイ部材を備え、該トレイ部材をその取付手段によって、従前の島の構造を何ら変更することなく、きわめて簡単に低コストで島の天板に着脱自在に装着でき、トレイ部材により遊技者は天板上における自分の使用範囲を、周囲に余分な気を使うことなく明確かつ容易に認識することができる。
【００５８】
また、前記トレイ部材に着脱自在な球貯留箱とパチンコ機列中の球貸し機とを含む関係より、遊技者は賞球を持ち運んで移し替えたりすることなく、その場で極めて容易かつ確実に賞球の計数を行なうことができる。しかも、天板上のトレイ部材と球貯留箱は、前述のように簡単に天板から外すことができ、
更に、外したトレイ部材を天板に装着すると、球貸し機の球導入路内側と、前記トレイ部材の球経路の出口外側とにそれぞれ設けた導線が互いに接触して、球貸し機側の計数手段と、前記トレイ部材側の記録手段ならびに表示手段が電気的に結ばれるので配線処理が無く、パチンコ機の入れ替の際に邪魔になることもない。
【図面の簡単な説明】
【図１】第１の実施の形態に係る賞球処理機構のトレイ部材、球貯留箱をそれぞれ遊技機島の天板から外した状態を示す斜視図である。
【図２】第１の実施の形態に係る賞球処理機構を備えた遊技機島全体を示す斜視図である。
【図３】第１の実施の形態に係る賞球処理機構のトレイ部材を天板に装着した状態を示す斜視図である。
【図４】第１の実施の形態に係る賞球処理機構のトレイ部材および球貯留箱を天板に取付けた状態を示す斜視図である。
【図５】第１の実施の形態に係る賞球処理機構のトレイ部材および球貯留箱を拡大して示す斜視図である。
【図６】第１の実施の形態に係る賞球処理機構のトレイ部材および球貯留箱を天板に取付けた状態を概略的に示す側面図である。
【図７】第１の実施の形態に係る賞球処理機構を備えた遊技機島の内部構造を概略的に示す側面図である。
【図８】第１の実施の形態に係る賞球処理機構の球貸し機を示す正面図である。
【図９】第１の実施の形態に係る賞球処理機構の球貯留箱の要部を拡大して示す斜視図である。
【図１０】第１の実施の形態に係る賞球処理機構の球貯留箱を示す縦断面図である。
【図１１】第１の実施の形態に係る賞球処理機構の球貯留箱のシャッターの開閉を説明する断面図である。
【図１２】第１の実施の形態に係る賞球処理機構の球貯留箱のシャッターの開閉を説明する断面図である。
【図１３】第１の実施の形態に係る賞球処理機構のトレイ部材に設けた取付手段の変形例を示す分解斜視図である。
【図１４】第２の実施の形態に係る賞球処理機構のトレイ部材、球貯留箱をそれぞれ遊技機島の天板から外した状態を示す斜視図である。
【符号の説明】
１…遊技機島
３…天板
１１…パチンコ機
１６…球貸し機
１８…球導入路
３０…トレイ部材
２２…レール片（係止手段）
２３…球経路
２４…クリップ（取付手段）
２４…クランプ（取付手段）
３０…球貯留箱
３２…球排出口
３３…シャッター
３９…係止片
４０…計数手段
５０…記録手段
５１…出入れ口
６０…表示手段
【図１】
0004059940.tif 000002
【図２】
0004059940.tif 000003
【図３】
0004059940.tif 000004
【図４】
0004059940.tif 000005
【図５】
0004059940.tif 000006
【図６】
0004059940.tif 000007
【図７】
0004059940.tif 000008
【図８】
0004059940.tif 000009
【図９】
0004059940.tif 000010
【図１０】
0004059940.tif 000011
【図１１】
0004059940.tif 000012
【図１２】
0004059940.tif 000013
【図１３】
0004059940.tif 000014
【図１４】
0004059940.tif 000015